(57)【特許請求の範囲】
【請求項１】
光ビームにより読み出される第１の情報と、文字や図形などのパターンとして視認可能な第２の情報とを記録媒体に記録する記録媒体記録装置において、
情報を記録するための記録用光ビームを、入力されるパルス信号に応じて変調する光変調手段と、
前記第１の情報に基づいて前記パルス信号を出力するとともに、前記第２の情報に応じて前記パルス信号のパルス幅の制御を行うタイミング制御手段と、
前記第２の情報に応じて前記記録用光ビームの強度を制御する強度制御手段と
を備え、
前記強度制御手段が前記記録用光ビームの強度を減少させることにより前記第２の情報を記録する場合、前記タイミング制御手段は、前記記録用光ビームの照射時間が、前記第２の情報が記録されない場合の照射時間より所定量だけ長くなるように前記パルス幅を拡げる制御を行う
ことを特徴とする記録媒体記録装置。
【請求項２】
光ビームにより読み出される第１の情報と、文字や図形などのパターンとして視認可能な第２の情報とを記録媒体に記録する記録媒体記録装置において、
情報を記録するための記録用光ビームを、入力されるパルス信号に応じて変調する光変調手段と、
前記第１の情報に基づいて前記パルス信号を出力するとともに、前記第２の情報に応じて前記パルス信号のパルス幅の制御を行うタイミング制御手段と、
前記第２の情報に応じて前記記録用光ビームの強度を制御する強度制御手段と
を備え、
前記強度制御手段が前記記録用光ビームの強度を増加させることにより前記第２の情報を記録する場合、前記タイミング制御手段は、前記記録用光ビームの照射時間が、前記第２の情報が記録されない場合の照射時間より所定量だけ短くなるように前記パルス幅を狭くする制御を行う
ことを特徴とする記録媒体記録装置。
【請求項３】
光ビームにより読み出される第１の情報と、文字や図形などのパターンとして視認可能な第２の情報とを記録媒体に記録する記録媒体記録方法において、
情報を記録するための記録用光ビームを、入力されるパルス信号に応じて変調する光変調ステップと、
前記第１の情報に基づいて前記パルス信号を出力するとともに、前記第２の情報に応じて前記パルス信号のパルス幅の制御を行うタイミング制御ステップと、
前記第２の情報に応じて前記記録用光ビームの強度を制御する強度制御ステップと
を含み、
前記強度制御ステップにおいて前記記録用光ビームの強度を減少させることにより前記第２の情報を記録する場合、前記タイミング制御ステップでは、前記記録用光ビームの照射時間が、前記第２の情報が記録されない場合の照射時間より所定量だけ長くなるように前記パルス幅を拡げる制御を行う
ことを特徴とする記録媒体記録方法。
【請求項４】
光ビームにより読み出される第１の情報と、文字や図形などのパターンとして視認可能な第２の情報とを記録媒体に記録する記録媒体記録方法において、
情報を記録するための記録用光ビームを、入力されるパルス信号に応じて変調する光変調ステップと、
前記第１の情報に基づいて前記パルス信号を出力するとともに、前記第２の情報に応じて前記パルス信号のパルス幅の制御を行うタイミング制御ステップと、
前記第２の情報に応じて前記記録用光ビームの強度を制御する強度制御ステップと
を含み、
前記強度制御ステップにおいて前記記録用光ビームの強度を増加させることにより前記第２の情報を記録する場合、前記タイミング制御ステップでは、前記記録用光ビームの照射時間が、前記第２の情報が記録されない場合の照射時間より所定量だけ短くなるように前記パルス幅を狭くする制御を行う
ことを特徴とする記録媒体記録方法。
【請求項５】
光ビームにより読み出される第１の情報と、文字や図形などのパターンとして視認可能な第２の情報とを記録する記録媒体において、
ピットまたはマークのトラック方向の長さにより、前記第１の情報と前記第２の情報が記録され、
前記ピットまたはマークのトラックに垂直な方向の幅により、前記第２の情報が記録されており、
前記ピットまたはマークのトラックに垂直な方向の幅を減少させることにより前記第２の情報が記録されている場合、前記ピットまたはマークのトラック方向の長さは、前記第２の情報が記録されていない場合のトラック方向の長さより所定量だけ長い
ことを特徴とする記録媒体。
【請求項６】
光ビームにより読み出される第１の情報と、文字や図形などのパターンとして視認可能な第２の情報とを記録する記録媒体において、
ピットまたはマークのトラック方向の長さにより、前記第１の情報と前記第２の情報が記録され、
前記ピットまたはマークのトラックに垂直な方向の幅により、前記第２の情報が記録されており、
前記ピットまたはマークのトラックに垂直な方向の幅を増加させることにより前記第２の情報が記録されている場合、前記ピットまたはマークのトラック方向の長さは、前記第２の情報が記録されていない場合のトラック方向の長さより所定量だけ短い
ことを特徴とする記録媒体。
【発明の詳細な説明】
【０００１】
【発明の属する技術分野】
本発明は、記録媒体記録装置、記録媒体記録方法、および記録媒体に関し、特に、特定の領域のピットまたはマークの反射率を他の領域のそれとは異なるようにすることで、視認可能な文字や図形などの情報を記録する記録媒体記録装置、記録媒体記録方法、および記録媒体に関する。
【０００２】
【従来の技術】
例えば、光ディスク等において、特定の領域に形成されるピットまたはマークの反射率を、他の領域に形成されるピットまたはマークのそれとは異なるようにすることで、視認可能な文字や図形などの情報（以下、視認可能情報という）を記録する方法が提案されている（例えば、特開平０６−０３６５１４）。
【０００３】
図５は、従来における、視認可能情報を記録する記録媒体記録装置の構成例を示すブロック図である。この図において、ビデオテープレコーダ１は、映像情報またはオーディオ情報などを記録するとともに、記録されたこれらの情報を再生するようになされている。変調回路２は、ビデオテープレコーダ１から供給された映像情報、オーディオ情報、または、再生時間などを表すサブコード情報などに対して誤り訂正符号を付加し、ＥＦＭ方式に基づき変調を行った後、２値信号として光変調器６に出力するようになされている。
【０００４】
文字信号発生回路３は、後述するスピンドルモータ８から供給されるＦＧ信号に応じて、記録しようとする文字（視認可能情報）信号を発生するとともに、文字信号から記録パワー変化信号を生成し、光変調器５に出力する。
【０００５】
図６は、文字信号発生回路３の詳細な構成例を示すブロック図である。この図において、Ｎ進カウンタ３０は、後述するスピンドルモータ８から出力されるＦＧ信号のパルス数をカウントし、カウント値がＮを越えるとオーバーフローを生じるとともにカウント値を“０”にリセットする。Ｍ進カウンタ３１は、Ｎ進カウンタ３０がオーバーフローを生じる度にカウントアップを行う。ＲＯＭ（Read Only Memory）３２は、視認可能情報を記憶しており、Ｎ進カウンタ３０およびＭ進カウンタ３１のカウント値によって指定されるアドレスに記憶しているデータを読み出し、レベル変換回路３３に出力する。レベル変換回路３３は、ＲＯＭ３２から供給されたデータに基づき、記録パワー変化信号を生成するようになされている。
【０００６】
図５に示す、記録用レーザ発生器４は、情報を記録するための記録用レーザビームを射出し、光変調器５に入射する。光変調器５は、文字信号発生回路３から供給される記録パワー変化信号に応じて、記録用レーザ発生器４より射出されるレーザビームの強度を変調し、光変調器６に出射する。光変調器６は、変調回路２から供給されるＥＦＭ信号（２値信号）に応じて、光変調器５から入射されるレーザビームを遮光または透過するようになされている。
【０００７】
反射鏡９は、光変調器６から出射されたレーザビームを反射し、対物レンズ１０に入射する。対物レンズ１０は、入射されたレーザビームをガラス原盤７の所定の領域に収束させる。なお、スピンドルモータ８は、所定の角速度でガラス原盤７を回転させるとともに、ガラス原盤７が１回転する間にＮ個のパルスを生ずるＦＧ信号を発生し、文字信号発生回路３に供給するようになされている。
【０００８】
次に、この例の動作について説明する。
【０００９】
ガラス原盤７への情報の記録が開始されると、スピンドルモータ８が回転されるとともに、ビデオテープレコーダ１から記録しようとする映像またはオーディオ情報の出力が開始され、また、文字信号発生回路３から視認可能情報の供給が開始される。
【００１０】
スピンドルモータ８は、前述のように、ガラス原盤７を所定の角速度で回転するとともに、ガラス原盤７が１回転する間にＮ個のパルスを生ずるＦＧ信号を発生し、文字信号発生回路３に供給する。文字信号発生回路３のＮ進カウンタ３０（図６参照）は、Ｎ個のパルスの入力を受けた場合にオーバーフローを生じ、その際、Ｍ進カウンタ３１がカウントアップされる。また、ガラス原盤７には、後述するように内周から外周に螺旋を描くように情報が記録されるので、Ｍ進カウンタ３１のカウント値は現在のトラック数を示し、また、Ｎ進カウンタ３０のカウント値は、現在のセクタ数を示すことになる。
【００１１】
ＲＯＭ３２は、Ｎ進カウンタ３０およびＭ進カウンタ３１の値によって指定されるアドレスに格納されているデータ（視認可能情報）を読み出し、レベル変換回路３３に供給する。レベル変換回路３３では、ＲＯＭ３２より供給されたデータが“０”の場合は、振幅値が“０．９”の記録パワー変化信号を生成し、また、ＲＯＭ３２より供給されたデータが“１”の場合は、振幅値が“１”の記録パワー変化信号を生成し、光変調器５に供給する。
【００１２】
光変調器５は、文字信号発生回路３から供給される記録パワー変化信号の振幅値に応じて、記録用レーザ発生器４から射出されるレーザビームの強度を変調する。即ち、光変調器５は、記録パワー変化信号のレベルが“１”の場合に出力するレーザビームの強度を“１”とすると、記録パワー変化信号のレベルが“０．９”の場合は、０．９の強度のレーザビームを出力する。そして、変調が施されたレーザビームは、光変調器６に入射される。
【００１３】
光変調器６は、変調回路２から供給されるＥＦＭ信号に応じて、光変調器５から出射されるレーザビームを変調する。即ち、ビデオテープレコーダ１から出力される映像またはオーディオ情報は、変調回路２によりエラー訂正符号が付加され、ＥＦＭ変調が施された後、２値信号として光変調器６に出力される。光変調器６は、変調回路２から供給されたＥＦＭ信号の値が“０”である場合は、レーザビームを遮光し、一方、ＥＦＭ信号の値が“１”の場合はレーザビームを透過させる。
【００１４】
反射鏡９は、光変調器６より出射されたレーザビームを反射し、対物レンズ１０に入射する。対物レンズ１０は、入射されたレーザビームをガラス原盤７の所定の領域に収束する。ガラス原盤７の表面には感光材が塗布してあるので、レーザ光線が照射された部分にはピットが形成されることになる。
【００１５】
なお、反射鏡９と対物レンズ１０は、情報の記録の進行に伴って、図示せぬサーボモータにより、ガラス原盤７の内周側から外周側に徐々に移送される。従って、ガラス原盤７には、内周側から外周側に向かって螺旋状に情報が記録されることになる。
【００１６】
図７は、ＥＦＭ信号と記録パワー変化信号とによって変調されたレーザビームにより形成されるピットを示す図である。ＥＦＭ信号は、オーディオ情報または映像情報に応じて、図７（Ａ）に示すように、“０”または“１”の何れかの状態とされる。記録パワー変化信号は、図７（Ｂ）に示すように、ＲＯＭ３２に記憶されている視認可能情報に応じて“１”または“０．９”の値とされる。光変調器５では、記録用レーザ発生器４より射出されたレーザビームの強度を、記録パワー変化信号（図７（Ｂ））の値に応じて変調する。また、変調回路６は、ＥＦＭ信号（図７（Ａ））の状態に応じて、レーザビームを遮光または透過させる。その結果、光変調器６から出射されるレーザビームは、図７（Ｃ）に示すように、ＥＦＭ信号（図７（Ａ））と同一のタイミングで出射され、また、記録パワー変化信号（図７（Ｂ））の振幅に応じてその強度を変化する信号となる。
【００１７】
光変調器６から出射されたレーザビームによりガラス原盤７上に形成されるピットは、図７（Ｄ）に示すようになる。即ち、ピットのトラック方向の長さは、ＥＦＭ信号（図７（Ａ））の“１”の状態とされる時間に比例し、またピットのトラックに垂直な方向の幅は、記録パワー変化信号（図７（Ｂ））の振幅値に比例したものとなる。
【００１８】
図８は、従来例により記録される視認可能情報の一例を示す図である。この例では、図８（Ｂ）に示すように、視認可能情報として略正方形の図形が記録されている。図８（Ａ）は、ガラス原盤７の一部を拡大して示した図である。この図に示すように、視認可能情報である正方形の領域（以下、視認可能領域と略記する）に形成されるピット４０のトラックに垂直な方向の幅は、他の領域に形成されたピット４２の幅よりも広くなっている。その結果、鏡と同様に光を反射するランド４１のこの部分における面積は、他の部分におけるランド４３の面積よりも小さくなる。従って、視認可能領域と他の領域では、光の反射率が異なることになり、図８（Ｂ）に示すように、視認可能領域によって形成される文字や図形などの情報を視認することが可能となる。
【００１９】
なお、この例では、視認可能領域のピット４０のトラックに垂直な方向の幅を他の領域のピット４２のそれよりも広くしてあるが、逆に、視認可能領域のピット４０のトラックに垂直な方向の幅を他の領域のピット４２のそれよりも狭くしてもよい。
【００２０】
図９は、視認可能情報として文字情報を記録したガラス原盤７の一例を示している。この例では、“ＳＯＮＹ”（商標）が視認可能情報として記録されている。このような視認情報を記録する場合は、ＲＯＭ３２に記憶されているデータのみを変更すればよい。従って、ＲＯＭ３２に記憶されている情報を適宜変更することにより、図形や文字などの種々の視認可能情報をガラス原盤７に記録することができる。
【００２１】
以上のようなプロセスにより作成されたガラス原盤７は、通常の光ディスク原盤と同様の工程で現像され、メッキ処理が施される。そして、メッキ処理により得られたメタルマスタからメタルマザーが形成され、メタルマザーを元にスタンパが形成される。このようにして得られたスタンパを用いれば、ＣＤ（Compact Disk）を作成する場合と同様のプロセスにより、視認可能情報を有する複製ディスクを大量に生産することができる。
【００２２】
【発明が解決しようとする課題】
しかしながら、従来の記録媒体記録装置により作成されたガラス原盤７を原型として製造されたＣＤを再生する場合、視認可能領域のピットのトラックに垂直な方向の幅と、それ以外の領域のピットのそれとが異なるため、ジッタなどを生じ、その結果、再生エラーを生ずることがあるという課題があった。以下にその理由を説明する。
【００２３】
図１０は、トラック方向の長さが共にＬである、通常ピット（視認可能領域以外のピット）と視認可能領域のピットから再生される再生信号を示す図である。なお、この例では、前述の例とは異なり、視認可能領域のピットのトラックに垂直な方向の幅は他の領域のピットのそれよりも狭くなるように設定されている。
【００２４】
ＣＤを再生する再生装置において、記録されている情報を再生する場合、先ず、ＣＤのピットにレーザビームを照射し、反射光を電気信号に変換することによりＲＦ信号を生成する。そして、このＲＦ信号を２値信号に変換し、得られた２値信号に含まれているパルスの位置と幅とにより元の情報を再生する。
【００２５】
図１０（Ａ）は、トラック方向の長さがそれぞれＬである通常ピットと視認可能領域のピットを示しており、また、図１０（Ｂ）は、これらのピットにレーザビームを照射した場合に得られるＲＦ信号を示している。図１０（Ｂ）に示すように、視認可能領域のピットから得られるＲＦ信号の振幅は、通常ピットからのそれよりも小さくなっている。このようなＲＦ信号を２値信号に変換する場合、例えば、図１０（Ｂ）に示す基準レベルＶRFを基準にして変換を行うことを考える。ＲＦ信号は、光ディスクの再生原理や回路が有する遅れ要素などにより、波形の立ち上がり部分と立ち下がり部分の傾きが緩やかになっているため、２値化の結果“０”であると判定される部分（基準レベルよりも信号レベルが小さい部分）の継続する時間は、通常ピットと視認可能領域のピットの間で異なることになる。
【００２６】
即ち、長さＬの通常ピットから得られる２値信号が“０”である時間がＴであるのに対して、視認可能領域の同じく長さＬのピットから得られる２値信号が“０”である時間は（Ｔ−α）となり、αの差を生ずることになる。
【００２７】
前述のように、ＣＤの再生装置においては、２値信号のパルスの位置と幅を参照して元の情報を再生するため、このようにパルスの幅が変化すると、ジッタなどを生じ、その結果、再生エラーが生ずることになる。
【００２８】
そこで、このような問題を回避するために、視認可能領域のピットの幅と、他の領域のピットの幅の差を小さく設定すると、これらの領域における光の反射率の差が小さくなり、その結果、記録された文字や図形などが明瞭でなくなるという課題があった。
【００２９】
本発明は、以上のような状況に鑑みてなされたものであり、記録媒体の再生特性を劣化せずに、視認可能情報を明瞭に記録することを可能とするものである。
【００３０】
【課題を解決するための手段】
請求項１に記載の記録媒体記録装置は、情報を記録するための記録用光ビームを、入力されるパルス信号に応じて変調する光変調手段と、第１の情報に基づいてパルス信号を出力するとともに、第２の情報に応じてパルス信号のパルス幅の制御を行うタイミング制御手段と、第２の情報に応じて記録用光ビームの強度を制御する強度制御手段とを備え、強度制御手段が記録用光ビームの強度を減少させることにより第２の情報を記録する場合、タイミング制御手段は、記録用光ビームの照射時間が、第２の情報が記録されない場合の照射時間より所定量だけ長くなるようにパルス幅を拡げる制御を行うことを特徴とする。
請求項２に記載の記録媒体記録装置は、情報を記録するための記録用光ビームを、入力されるパルス信号に応じて変調する光変調手段と、第１の情報に基づいてパルス信号を出力するとともに、第２の情報に応じてパルス信号のパルス幅の制御を行うタイミング制御手段と、第２の情報に応じて記録用光ビームの強度を制御する強度制御手段とを備え、強度制御手段が記録用光ビームの強度を増加させることにより第２の情報を記録する場合、タイミング制御手段は、記録用光ビームの照射時間が、第２の情報が記録されない場合の照射時間より所定量だけ短くなるようにパルス幅を狭くする制御を行うことを特徴とする。
【００３１】
請求項３に記載の記録媒体記録方法は、情報を記録するための記録用光ビームを、入力されるパルス信号に応じて変調する光変調ステップと、第１の情報に基づいてパルス信号を出力するとともに、第２の情報に応じてパルス信号のパルス幅の制御を行うタイミング制御ステップと、第２の情報に応じて記録用光ビームの強度を制御する強度制御ステップとを含み、強度制御ステップにおいて記録用光ビームの強度を減少させることにより第２の情報を記録する場合、タイミング制御ステップでは、記録用光ビームの照射時間が、第２の情報が記録されない場合の照射時間より所定量だけ長くなるようにパルス幅を拡げる制御を行うことを特徴とする。
請求項４に記載の記録媒体記録方法は、情報を記録するための記録用光ビームを、入力されるパルス信号に応じて変調する光変調ステップと、第１の情報に基づいてパルス信号を出力するとともに、第２の情報に応じてパルス信号のパルス幅の制御を行うタイミング制御ステップと、第２の情報に応じて記録用光ビームの強度を制御する強度制御ステップとを含み、強度制御ステップにおいて記録用光ビームの強度を増加させることにより第２の情報を記録する場合、タイミング制御ステップでは、記録用光ビームの照射時間が、第２の情報が記録されない場合の照射時間より所定量だけ短くなるようにパルス幅を狭くする制御を行うことを特徴とする。
【００３２】
請求項５に記載の記録媒体は、ピットまたはマークのトラック方向の長さにより、第１の情報と第２の情報が記録され、ピットまたはマークのトラックに垂直な方向の幅により、第２の情報が記録されており、ピットまたはマークのトラックに垂直な方向の幅を減少させることにより第２の情報が記録されている場合、ピットまたはマークのトラック方向の長さは、第２の情報が記録されていない場合のトラック方向の長さより所定量だけ長いことを特徴とする。
請求項６に記載の記録媒体は、ピットまたはマークのトラック方向の長さにより、第１の情報と第２の情報が記録され、ピットまたはマークのトラックに垂直な方向の幅により、第２の情報が記録されており、ピットまたはマークのトラックに垂直な方向の幅を増加させることにより第２の情報が記録されている場合、ピットまたはマークのトラック方向の長さは、第２の情報が記録されていない場合のトラック方向の長さより所定量だけ短いことを特徴とする。
【００３３】
請求項１に記載の記録媒体記録装置においては、情報を記録するための記録用光ビームが、入力されるパルス信号に応じて変調され、第１の情報に基づいてパルス信号が出力されるとともに、第２の情報に応じてパルス信号のパルス幅の制御が行われ、第２の情報に応じて記録用光ビームの強度が制御される。そして、記録用光ビームの強度を減少させることにより第２の情報が記録される場合、記録用光ビームの照射時間が、第２の情報が記録されない場合の照射時間より所定量だけ長くなるようにパルス幅を拡げる制御が行われる。
請求項２に記載の記録媒体記録装置においては、情報を記録するための記録用光ビームが、入力されるパルス信号に応じて変調され、第１の情報に基づいてパルス信号が出力されるとともに、第２の情報に応じてパルス信号のパルス幅の制御が行われ、第２の情報に応じて記録用光ビームの強度が制御される。そして、記録用光ビームの強度を増加させることにより第２の情報が記録される場合、記録用光ビームの照射時間が、第２の情報が記録されない場合の照射時間より所定量だけ短くなるようにパルス幅を狭くする制御が行われる。
【００３４】
請求項３に記載の記録媒体記録方法においては、情報を記録するための記録用光ビームが、入力されるパルス信号に応じて変調され、第１の情報に基づいてパルス信号が出力されるとともに、第２の情報に応じてパルス信号のパルス幅の制御が行われ、第２の情報に応じて記録用光ビームの強度が制御される。そして、記録用光ビームの強度を減少させることにより第２の情報が記録される場合、記録用光ビームの照射時間が、第２の情報が記録されない場合の照射時間より所定量だけ長くなるようにパルス幅を拡げる制御が行われる。
請求項４に記載の記録媒体記録方法においては、情報を記録するための記録用光ビームが、入力されるパルス信号に応じて変調され、第１の情報に基づいてパルス信号が出力されるとともに、第２の情報に応じてパルス信号のパルス幅の制御が行われ、第２の情報に応じて記録用光ビームの強度が制御される。そして、記録用光ビームの強度を増加させることにより第２の情報が記録される場合、記録用光ビームの照射時間が、第２の情報が記録されない場合の照射時間より所定量だけ短くなるようにパルス幅を狭くする制御が行われる。
【００３５】
請求項５に記載の記録媒体においては、ピットまたはマークのトラック方向の長さにより、第１の情報と第２の情報が記録され、ピットまたはマークのトラックに垂直な方向の幅により、第２の情報が記録されており、ピットまたはマークのトラックに垂直な方向の幅を減少させることにより第２の情報が記録されている場合、ピットまたはマークのトラック方向の長さが、第２の情報が記録されていない場合のトラック方向の長さより所定量だけ長くされる。
請求項６に記載の記録媒体においては、ピットまたはマークのトラック方向の長さにより、第１の情報と第２の情報が記録され、ピットまたはマークのトラックに垂直な方向の幅により、第２の情報が記録されており、ピットまたはマークのトラックに垂直な方向の幅を増加させることにより第２の情報が記録されている場合、ピットまたはマークのトラック方向の長さが、第２の情報が記録されていない場合のトラック方向の長さより所定量だけ短くされる。
【００３６】
【発明の実施の形態】
図１は、本発明の記録媒体記録装置の構成の一例を示すブロック図である。この図において、図５と同一の部分には、同一の符号を付してあるので、その説明は適宜省略する。
【００３７】
この実施例では、パルス幅変調回路１００（タイミング制御手段、タイミング制御ステップ）が新たに追加されている。その他の構成は図５における場合と同様である。
【００３８】
図２は、図１に示すパルス幅変調回路１００の詳細な構成の一例を示すブロック図である。
【００３９】
この図において、ローパスフィルタ（以下、ＬＰＦと略記する）５０は、変調回路２から供給されるＥＦＭ信号の立ち上がり部分と立ち下がり部分が、所定の傾きとなるように波形整形を行う。レベル変換回路５１は、文字信号発生回路３から供給される記録パワー変化信号を所定の信号レベルに変換する。また、コンパレータ５２は、ＬＰＦ５０の出力レベルとレベル変換回路５１の出力レベルを比較し、その結果に応じて出力信号を生成する。
【００４０】
次に、図３を参照して本実施例の動作について説明する。
【００４１】
ビデオテープレコーダ１から供給されるオーディオ情報や映像情報は、変調回路２によりエラー訂正符号が付加され、ＥＦＭ変調が施された後、ＥＦＭ信号（図３（Ａ））としてパルス幅変調回路１００に供給される。パルス幅変調回路１００のＬＰＦ５０は、ＥＦＭ信号の立ち上がり部分と、立ち下がり部分が所定の傾きとなるように波形整形を行い、得られた信号（図３（Ｂ））を出力する。なお、ローパスフィルタ通過後の信号は一般に遅延されているが、図３では説明を簡略化するためにＬＰＦ５０による遅延を無視している。
【００４２】
スピンドルモータ８からのＦＧ信号に対応してＲＯＭ３２から読み出された視認可能情報より生成された記録パワー変化信号（図３（Ｃ））は、パルス幅変調回路１００のレベル変換回路５１に入力される。レベル変換回路５１は、記録パワー変化信号（Ｃ）を信号レベルを減少させる方向にシフトし（図の下方にシフトし）、得られた信号（図３（Ｄ））を出力する。
【００４３】
なお、レベル変換回路５１におけるシフト量の設定方法については後述する。
【００４４】
ＬＰＦ５０の出力信号と、レベル変換回路５１の出力信号は、コンパレータ５２に入力される。コンパレター５２は、これら２つの信号（図３（Ｅ））を比較し、ＬＰＦ５０の出力レベルがレベル変換回路５１の出力レベルよりも大きい場合には、出力信号（図３（Ｆ））を“１”の状態とし、一方、ＬＰＦ５０の出力信号がレベル変換回路５１の出力信号よりも小さい場合は、出力信号（図３（Ｆ））を“０”の状態とする。
【００４５】
その結果、コンパレータ５２は、記録パワー変化信号（図３（Ｃ））のレベルが“１”である場合には、ＥＦＭ信号（図３（Ａ））と同じ幅のパルス信号を出力し、また、記録パワー変化信号（図３（Ｃ））のレベルが“０．９”である場合には、立ち上がり部分と立ち下がり部分において、ＥＦＭ信号（図３（Ａ））よりもパルス幅がそれぞれβ／２ずつ拡がった信号を出力することになる。なお、コンパレータ５２の出力信号は、パルス幅変調回路１００の出力信号として、光変調器６（タイミング制御手段、タイミング制御ステップ）に出力される。
【００４６】
光変調器６は、記録用レーザ発生器４から射出され、光変調器５（強度制御手段、強度制御ステップ）により記録パワー変化信号（図３（Ｃ））に応じてその強度を変調されたレーザビームを、パルス幅変調回路１００から出力される出力信号に応じて遮光または透過させる。即ち、パルス幅変調回路１００の出力が“１”の状態である場合は、入射されるレーザビームを透過させ、また、パルス幅変調回路１００の出力が“０”の状態である場合は、入射されるレーザビームを遮光する。その結果、光変調器６から出射されるレーザビームは、図３（Ｇ）に示すようになる。
【００４７】
光変調器６から出射されたレーザビームは、反射鏡９および対物レンズ１０を介してガラス原盤７の所定の領域に照射され、その結果、図３（Ｈ）に示すピットが形成されることになる。
【００４８】
図４は、本実施例により作成されたガラス原盤７を元に作成されたＣＤを再生した場合の再生信号を示す図である。
【００４９】
図４（Ａ）に示すように、本実施例では、視認可能領域以外の領域に形成されるピットのトラック方向の長さは従来の場合と同様にＬであり、また、このピットから再生される２値信号が“０”である時間もＴである。しかしながら、視認可能領域に形成されるピットは、トラック方向の長さが（Ｌ＋β）となる。そこで、βの値を適当に設定することにより、このピットから再生される２値信号が“０”の状態である時間をＴとすることができる。即ち、本実施例によれば、視認可領域に形成されるピットのトラックに垂直な方向の幅を狭くした場合でも、２値信号のパルス幅は、通常の幅のピットの場合と同様になる。
【００５０】
なお、βの値は、最短ピットのトラック方向の長さの１／３程度の値に設定すると良好であることが実験により確認されている。
【００５１】
以上の実施例によれば、視認可能領域に形成されるピットの幅を他の領域のピットの幅に比較して狭くなるように設定した場合でも、再生信号を２値化する際に、再生信号のレベルに起因する誤差の発生を防止することができるので、ジッタの発生を抑えるともに、復号エラーが生ずることを抑制することができる。
【００５２】
なお、以上の実施例では、視認可能領域に形成されるピットのトラックに垂直な方向の幅を、他の領域に形成されるピットのそれよりも狭くなるようにしたが、逆に、視認可能領域に形成されるピットの幅を、他の領域のピットの幅よりも広くなるようにしてもよい。その場合、視認可能領域に形成されるピットのトラック方向の長さを、通常ピットよりも短くなるようにすることで、既述の場合と同様の効果を得ることができる。
【００５３】
また、以上の実施例では、光変調器５によりレーザ光の強度を変調し、光変調器６によりレーザ光を透過または遮光するようにしたが、例えば、記録パワー変化信号とＥＦＭ信号に応じて記録用レーザ発生器４を直接制御し、所望のレーザビームを得るようにしてもよい。
【００５４】
【発明の効果】
本発明の記録媒体記録装置および記録媒体記録方法によれば、記録媒体に記録された第１の情報を誤りなく再生することができる。
【００５５】
本発明の記録媒体によれば、第２の情報を明瞭に記録することができるとともに、第１の情報を誤りなく再生することができる。
【図面の簡単な説明】
【図１】本発明の記録媒体記録装置の構成の一例を示すブロック図である。
【図２】図１に示すパルス幅変調回路１００の詳細な構成の一例を示すブロック図である。
【図３】図１に示す実施例の主要部分の信号のタイミングを示すタイミング図である。
【図４】図１に示す実施例より作成されるＣＤを再生した場合に得られる再生信号を示すタイミング図である。
【図５】従来の記録媒体記録装置の構成の一例を示す図である。
【図６】図５に示す従来例の文字信号発生回路３の詳細な構成例を示すブロック図である。
【図７】図５に示す従来例の主要部分の信号のタイミングを示すタイミング図である。
【図８】図５に示す従来例により作成されるＣＤを示す図である。
【図９】図５に示す従来例により作成されるＣＤの他の例を示す図である。
【図１０】図５に示す従来例により作成されたＣＤを再生した場合に得られる再生信号のタイミングを示すタイミング図である。
【符号の説明】
１  ビデオテープレコーダ，  ２  変調回路，  ３  文字信号発生回路，  ４記録用レーザ発生器，  ５  光変調器（強度制御手段、強度制御ステップ），６  光変調器（タイミング制御手段、タイミング制御ステップ），  ７  ガラス原盤，  ８  スピンドルモータ，  ９  反射鏡，  １０  対物レンズ，  １００  パルス幅変調回路（タイミング制御手段、タイミング制御ステップ）
【図１】
0003703040.tif 000002
【図２】
0003703040.tif 000003
【図３】
0003703040.tif 000004
【図４】
0003703040.tif 000005
【図５】
0003703040.tif 000006
【図６】
0003703040.tif 000007
【図７】
0003703040.tif 000008
【図８】
0003703040.tif 000009
【図９】
0003703040.tif 000010
【図１０】
0003703040.tif 000011